(57)【要約】【課題】好適に体液を拡散させ、体液の吸収性を向上させる吸収性物品を実現すること。【解決手段】  人体との接触面側に設けられるトップシート１０と、人体との接触面と反対面側に設けられるバックシート２０との間に介装されて体液を吸収する吸収体３０を備える吸収性物品（例えば、紙おむつ１００）において、その吸収体の略中央部から、吸収体の長手方向の両端側の腹側部３０ａと背側部３０ｂに向かって延在する縦エンボス凹部３を形成し、吸収性物品における吸収体の略中央部に相当する位置に排泄された体液を、縦エンボス凹部に沿って誘導し、吸収体の長手方向の両端側に位置する腹側部と背側部に拡散させて、その吸収体の広範囲において吸収させることにより、体液の吸収性を向上させるようにした。【選択図】図２
2005073921.tif 000002
【特許請求の範囲】
【請求項１】
人体との接触面側に設けられるトップシートと、人体との接触面と反対面側に設けられるバックシートと、前記トップシートと前記バックシートとの間に介装されて体液を吸収する吸収体とを備える吸収性物品であって、
前記吸収体には、当該吸収体の長手方向略中央部から、当該吸収体の長手方向の両端側の腹側部と背側部に延在する縦エンボス凹部が、幅方向に所定の間隔で複数形成されていることを特徴とする吸収性物品。
【請求項２】
前記吸収体の前記腹側部と前記背側部における、前記縦エンボス凹部の両端部側には、体液をそれぞれ前記腹側部と前記背側部に広く拡散させる拡散エンボス凹部が形成されていることを特徴とする請求項１に記載の吸収性物品。
【請求項３】
前記縦エンボス凹部は、前記吸収体における前記バックシート側の面に形成されていることを特徴とする請求項１又は２に記載の吸収性物品。
【請求項４】
前記縦エンボス凹部は、前記吸収体の幅方向端部側のものほど、当該縦エンボス凹部の溝の幅が広く形成されていることを特徴とする請求項１〜３の何れか一項に記載の吸収性物品。
【請求項５】
前記縦エンボス凹部は、前記吸収体の幅方向端部側のものほど、当該縦エンボス凹部の溝の深さが深く形成されていることを特徴とする請求項１〜３の何れか一項に記載の吸収性物品。
【発明の詳細な説明】
【技術分野】
【０００１】
本発明は、吸収性物品に関する。
【背景技術】
【０００２】
従来、尿などの体液を吸収するための紙おむつなどの吸収性物品において、吸収性物品の吸収体にエンボス加工が施されたものが知られている（例えば、特許文献１参照。）。
【特許文献１】実開平５−９１６４２号公報
【発明の開示】
【発明が解決しようとする課題】
【０００３】
しかしながら、上記特許文献１の場合、吸収性物品の吸収体に施されたエンボス加工によるエンボス凹部は、吸収性物品を着用する者の装着感を損なわないように、その着用性を向上させるためのものであった。
そのため、そのエンボス凹部によっては、吸収性物品に排泄された体液を、吸収体内で好適に拡散させることはできず、吸収体における体液の吸収性を向上させることはできなかった。
【０００４】
本発明の課題は、好適に体液を拡散させ、体液の吸収性を向上させる吸収性物品を提供することである。
【課題を解決するための手段】
【０００５】
以上の課題を解決するため、請求項１記載の発明は、
人体との接触面側に設けられるトップシート（１０）と、人体との接触面と反対面側に設けられるバックシート（２０）と、前記トップシートと前記バックシートとの間に介装されて体液を吸収する吸収体（３０）とを備える吸収性物品（例えば、紙おむつ１００等）であって、
前記吸収体には、当該吸収体の長手方向略中央部（例えば、股間部３０ｃ）から、当該吸収体の長手方向の両端側の腹側部（３０ａ）と背側部（３０ｂ）に延在する縦エンボス凹部（３等）が、幅方向に所定の間隔で複数形成されていることを特徴とする。
【０００６】
請求項１記載の発明によれば、トップシートとバックシートとの間に介装されて体液を吸収する吸収体を備える吸収性物品において、その吸収体には、吸収体の略中央部から、吸収体の長手方向の両端側の腹側部と背側部に向かって延在する複数の縦エンボス凹部が形成されている。
このように吸収体の長手方向に延在する縦エンボス凹部は、その吸収体の長手方向に対する方向性を有するので、吸収性物品における吸収体の略中央部に相当する位置に排泄された体液は、縦エンボス凹部に沿って誘導されて、吸収体の長手方向の両端側に位置する腹側部と背側部に拡散される。つまり、縦エンボス凹部は、吸収体に排泄された体液を、その吸収体の略中央部から腹側部や背側部にわかる広範囲に拡散させて、その吸収体の広範囲において吸収させることにより、吸収体における体液の吸収性を向上させることができる。
よって、このような縦エンボス凹部が形成された吸収体を備える吸収性物品は、体液の吸収性を向上させた吸収性物品であるといえる。
【０００７】
請求項２記載の発明は、請求項１に記載の吸収性物品において、
前記吸収体の前記腹側部と前記背側部における、前記縦エンボス凹部の両端部側には、体液をそれぞれ前記腹側部と前記背側部に広く拡散させる拡散エンボス凹部（７，８等）が形成されていることを特徴とする。
【０００８】
請求項２記載の発明によれば、請求項１に記載の発明と同様の作用を奏するとともに、吸収体の腹側部と背側部における縦エンボス凹部の両端部側には、体液をそれぞれ腹側部と背側部に広く拡散させる拡散エンボス凹部が形成されているので、縦エンボス凹部によって腹側部と背側部に拡散された体液を、さらに、拡散エンボス凹部が腹側部と背側部の広範囲に拡散させることができる。
つまり、縦エンボス凹部と拡散エンボス凹部は、吸収体に排泄された体液を、その吸収体の略中央部から腹側部や背側部にわかる広範囲に拡散させて、その吸収体の広範囲において吸収させることにより、吸収体における体液の吸収性を向上させることができる。
よって、このような縦エンボス凹部が形成された吸収体を備える吸収性物品は、体液の吸収性を向上させた吸収性物品であるといえる。
【０００９】
請求項３記載の発明は、請求項１又は２に記載の吸収性物品において、
前記縦エンボス凹部は、前記吸収体における前記バックシート側の面に形成されていることを特徴とする。
【００１０】
請求項３記載の発明によれば、請求項１又は２に記載の発明と同様の作用を奏するとともに、縦エンボス凹部は、吸収体におけるバックシート側の面に形成されている。つまり、人体との接触面側に設けられるトップシートと吸収体との間には空間や隙間はなく、トップシートと吸収体とは密着するようになっている。そのため、トップシートが受け入れた体液は、トップシートと吸収体との広範な接触面を介して、速やかに吸収体に移行し吸収される。
よって、吸収体は好適に体液を吸収することができ、このような構成の吸収性物品は、体液の吸収性を向上させた吸収性物品であるといえる。
【００１１】
請求項４記載の発明は、請求項１〜３の何れか一項に記載の吸収性物品において、
前記縦エンボス凹部は、前記吸収体の幅方向端部側のものほど、当該縦エンボス凹部の溝の幅が広く形成されていることを特徴とする。
【００１２】
請求項４記載の発明によれば、請求項１〜３の何れか一項に記載の発明と同様の作用を奏するとともに、吸収体には複数の縦エンボス凹部が形成されており、吸収体の幅方向端部側のものほど、縦エンボス凹部の溝の幅が広く形成されているので、この吸収体は、体液を縦エンボス凹部の方向性に従って、より好適に吸収体の長手方向側に拡散させることができる。
従って、このような吸収体を備える吸収性物品は、好適に体液を吸収することができ、体液の漏れを低減することができる。
【００１３】
請求項５記載の発明は、請求項１〜３の何れか一項に記載の吸収性物品において、
前記縦エンボス凹部は、前記吸収体の幅方向端部側のものほど、当該縦エンボス凹部の溝の深さが深く形成されていることを特徴とする。
【００１４】
請求項５記載の発明によれば、請求項１〜３の何れか一項に記載の発明と同様の作用を奏するとともに、吸収体には複数の縦エンボス凹部が形成されており、吸収体の幅方向端部側のものほど、縦エンボス凹部の溝の深さが深く形成されているので、この吸収体は、体液を縦エンボス凹部の方向性に従って、より好適に吸収体の長手方向側に拡散させることができる。
従って、このような吸収体を備える吸収性物品は、好適に体液を吸収することができ、体液の漏れを低減することができる。
【発明の効果】
【００１５】
請求項１記載の発明によれば、吸収性物品に備えられる吸収体の長手方向に延在する縦エンボス凹部は、その吸収体の長手方向に対する方向性を有するので、吸収性物品における吸収体の略中央部に相当する位置に排泄された体液は、縦エンボス凹部に沿って誘導されて、吸収体の長手方向の両端側に位置する腹側部と背側部に拡散される。つまり、縦エンボス凹部は、吸収体に排泄された体液を、その吸収体の略中央部から腹側部や背側部にわかる広範囲に拡散させて、その吸収体の広範囲において吸収させることにより、吸収体における体液の吸収性を向上させることができる。
よって、このような縦エンボス凹部が形成された吸収体を備える吸収性物品は、体液の吸収性を向上させた吸収性物品であるといえる。
【００１６】
請求項２記載の発明によれば、請求項１に記載の発明と同様の作用を奏するとともに、吸収体の腹側部と背側部における縦エンボス凹部の両端部側には、体液をそれぞれ腹側部と背側部に広く拡散させる拡散エンボス凹部が形成されているので、縦エンボス凹部によって腹側部と背側部に拡散された体液を、さらに、拡散エンボス凹部が腹側部と背側部の広範囲に拡散させることができる。
つまり、縦エンボス凹部と拡散エンボス凹部は、吸収体に排泄された体液を、その吸収体の略中央部から腹側部や背側部にわかる広範囲に拡散させて、その吸収体の広範囲において吸収させることにより、吸収体における体液の吸収性を向上させることができる。
よって、このような縦エンボス凹部が形成された吸収体を備える吸収性物品は、体液の吸収性を向上させた吸収性物品であるといえる。
【００１７】
請求項３記載の発明によれば、請求項１又は２に記載の発明と同様の作用を奏するとともに、縦エンボス凹部は、吸収体におけるバックシート側の面に形成されている。つまり、人体との接触面側に設けられるトップシートと吸収体との間には空間や隙間はなく、トップシートと吸収体とは密着するようになっている。そのため、トップシートが受け入れた体液は、トップシートと吸収体との広範な接触面を介して、速やかに吸収体に移行し吸収される。
よって、吸収体は好適に体液を吸収することができ、このような構成の吸収性物品は、体液の吸収性を向上させた吸収性物品であるといえる。
【００１８】
請求項４記載の発明によれば、請求項１〜３の何れか一項に記載の発明と同様の作用を奏するとともに、吸収体には複数の縦エンボス凹部が形成されており、吸収体の幅方向端部側のものほど、縦エンボス凹部の溝の幅が広く形成されているので、この吸収体は、体液を縦エンボス凹部の方向性に従って、より好適に吸収体の長手方向側に拡散させることができるとともに、吸収体の幅方向への拡散を低減することができる。
従って、このような吸収体を備える吸収性物品は、好適に体液を吸収することができ、体液の漏れを低減することができる。
【００１９】
請求項５記載の発明によれば、請求項１〜３の何れか一項に記載の発明と同様の作用を奏するとともに、吸収体には複数の縦エンボス凹部が形成されており、吸収体の幅方向端部側のものほど、縦エンボス凹部の溝の深さが深く形成されているので、この吸収体は、体液を縦エンボス凹部の方向性に従って、より好適に吸収体の長手方向側に拡散させることができるとともに、吸収体の幅方向への拡散を低減することができる。
従って、このような吸収体を備える吸収性物品は、好適に体液を吸収することができ、体液の漏れを低減することができる。
【発明を実施するための最良の形態】
【００２０】
以下、本発明の実施の形態を図１から図１２に基づいて説明する。
本実施の形態においては、吸収性物品としての使い捨て紙おむつを一例として説明する。
【００２１】
（実施形態１）
図１は本発明を適用した紙おむつ１００の斜視図であり、図２は紙おむつ１００の止着部７０を被着部から取り外して展開した平面図である。図３は、図２のIII−III線における断面を模式的に示す説明図である。
【００２２】
図１から図３に示されるように、紙おむつ１００は、人体との接触面側に設けられる透液性のトップシート１０と、使用装着時に外部側に設けられる不透液性のバックシート２０と、トップシート１０とバックシート２０との間に介装される吸収体３０と、トップシート１０と吸収体３０との間に介在されるセカンドシート４０と、バックシート２０に密着して設けられる外装不織布５０と、外装不織布５０に設けられ、使用装着時の内部側に配設される左右一対のギャザー部６，６を形成するサイド不織布６０，６０等により構成されている。
【００２３】
トップシート１０は、有孔または無孔の不織布や、多孔性プラスチックシート、また不織布にプラスチックシートがラミネートされたシートなどにより形成されており、尿などの体液を透過させることができるシート材である。このような不織布を構成する素材繊維としては、例えば、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等によって不織布を製造することができる。
【００２４】
バックシート２０は、ポリエチレン等の少なくとも遮水性を有し、尿などの体液を透過させることができないシート材により形成されている。また、ムレ防止の観点から透湿性を有するシート材であることが好ましく、この遮水性と透湿性とを具備するシート材としては、ポリエチレンやポリプロピレン等のオレフィン系樹脂中に無機充填剤を溶融混練してシートを成形した後、一軸または二軸方向に延伸することにより得られる微多孔性シート材が好適に用いられる。
【００２５】
吸収体３０は、体液を吸収するものであり、例えば、フラッフ状パルプと吸水性ポリマーとにより構成されて形成される公知のものを用いることができる。吸収体３０としては、通常はフラッフ状パルプ中に吸水性ポリマー粉末を混入したものが吸収機能およびコストの点から好適に使用されるが、体液を吸収・保持し得るものであればどのような構成のものでもよい。なお、吸収体３０は、形状保持等のためにクレープ紙によって囲繞することが望ましい。
【００２６】
また、本発明にかかる紙おむつ１００における吸収体３０は、図２、図４に示されるように、その長手方向の両端部は、吸収体３０の略中央部である股間部３０ｃより幅が広くなっており、それぞれ装着時に人体の腹側に配置される腹側部３０ａと、人体の背側に配置される背側部３０ｂとが形成されて、砂時計様の形状を呈している。
【００２７】
そして、図３、図４に示されるように、吸収体３０におけるバックシート２０側には、股間部３０ｃから腹側部３０ａと背側部３０ｂに向かって延在する複数の縦エンボス凹部３（本実施の形態においては５本）が形成されている。
縦エンボス凹部３は、吸収体３０に所定の圧縮加工を施すことにより形成される。そして、圧縮されてエンボス凹部３が形成された吸収体部分は、それ以外の吸収体部分に比べて吸収体３０の密度が高くなっている。
【００２８】
このように形成された縦エンボス凹部３により、吸収体３０の密度が異なる部分が吸収体３０の幅方向に縞状に並ぶとともに、吸収体３０の長手方向に延在するので、縦エンボス凹部３は吸収体３０の長手方向に方向性を有することになる。
そして、縦エンボス凹部３は、紙おむつ１００内の股間部１０ｃに相当する位置に排泄された尿などの体液を、吸収体３０において、その長手方向（腹側部３０ａや背側部３０ｂ）側に拡散させるとともに、紙おむつ１００（吸収体３０）の幅方向に広がろうとする体液の拡散を防ぐようになっている。
【００２９】
また、図３に示されるように、吸収体３０とトップシート１０との間には、セカンドシート４０が配設されている。セカンドシート４０は、例えば、エアスルー方式で製造されたエアスルー不織布である。このエアスルー不織布は、柔らかく、水分吸収性が良好な性質を有する。特に、セカンドシート４０は、トップシート１０よりも体液浸透速度が速い性質を有するシート材である。
このように、トップシート１０よりも体液浸透速度が速いセカンドシート４０を、トップシート１０と吸収体３０との間に介在させることにより、トップシート１０で受け入れた体液はセカンドシート４０に速やかに浸透し、さらに、その体液は吸収体３０に吸収されるので、体液のウェットバックを効果的に防止することができる。
【００３０】
外装不織布５０は、バックシート２０に、例えば、ホットメルト接着剤等により接着されて備えられている遮水性を有するシート材であり、ムレ防止の観点からは、さらに透湿性を有するシート材であることが好ましい。
【００３１】
サイド不織布６０，６０は、紙おむつ１００の表面側（人体との接触面側）に配置されるように、吸収体３０の略側縁部において、紙おむつ１００の前端部１００ａから後端部１００ｂにわたって備えられている。
このサイド不織布６０は、不透液性の不織布のシート材を二つ折りにし、折り合わされた面を、例えば、ホットメルトや、ヒートシール等により接着することにより形成されている。そして、このサイド不織布６０を二つ折りにした折り返し部分側の端部を自由端部６１とし、紙おむつ本体側に固定される端部を固定端部６２とする。この固定端部６２が、外装不織布５０に固着されることにより、サイド不織布６０が紙おむつ１００に設けられることとなる。そして、そのサイド不織布６０が折り合わされた面間に、所定本数の糸状の弾性部材９が挟み込まれて固着されて備えられている。
【００３２】
このサイド不織布６０，６０が、紙おむつ１００（外装不織布５０）に固着されて備えられた状態において、自由端部６１，６１が起立することにより、ギャザー部６，６が形成される。そして、この弾性部材９によりサイド不織布６０であるギャザー部６は、着用者の体型に合わせて伸縮自在に変形し、着用者にフィットしやすい構造となっている。
【００３３】
また、紙おむつ１００の前端部１００ａと後端部１００ｂにおいて、それぞれ外装不織布５０とサイド不織布６０，６０の間に、所定本数の糸状の弾性部材１が挟み込まれて固着されて備えられている。この弾性部材１により、紙おむつ１００の前端部１００ａと後端部１００ｂは、着用者の体型に合わせて伸縮自在に変形し、着用者にフィットしやすい構造となっている。
【００３４】
また、紙おむつ１００の後端部１００ｂにおける、その幅方向の両端側において、外装不織布５０とサイド不織布６０，６０の間に止着部７０，７０が挟み込まれて固着されて備えられている。
この止着部７０には、図示しない止着テープが備えられており、紙おむつ１００の前端部１００ａにおける外装不織布５０に備えられる図示しない被着部に係止することにより、図１に示されるように、紙おむつ１００が立体的なパンツ形状を呈することができるようになっている。
【００３５】
このように、本発明を適用した紙おむつ１００における吸収体３０には、吸収体３０の股間部３０ｃから腹側部３０ａと背側部３０ｂに向かって延在し、吸収体３０の長手方向に方向性を有する複数の縦エンボス凹部３が形成されているので、紙おむつ１００内に排泄された尿などの体液は、吸収体３０の股間部３０ｃから縦エンボス凹部３の方向性に従って、吸収体３０の長手方向側に拡散される。そして、体液は、吸収体３０の股間部３０ｃから腹側部３０ａや背側部３０ｂにわたる広範囲において吸収されるようになる。つまり、体液は吸収体３０の広範囲に拡散されて吸収されることによって、吸収体３０に吸収されやすくなるので、紙おむつ１００は、吸収体３０に形成された縦エンボス凹部３により、体液の吸収性を向上させることができる。
【００３６】
また、縦エンボス凹部３は、紙おむつ１００の吸収体３０の幅方向に広がろうとする体液の拡散を防ぐようになっており、体液が紙おむつ１００の幅方向から漏れることを低減するようになっている。また、サイド不織布６０が形成するギャザー部６が、体液が吸収体３０からその幅方向に移動することを防ぐので、体液が紙おむつ１００の幅方向から漏れることを防止することができる。
【００３７】
よって、本発明を適用した紙おむつ１００は、吸収体３０に形成された縦エンボス凹部３により、排泄された体液を好適に吸収体３０に拡散させて、吸収体３０の広範囲において吸収させることができるので、紙おむつ１００は、体液の吸収性を向上させた吸収性物品であるといえる。そして、紙おむつ１００を、体液の漏れを防止することができる吸収性物品とすることができる。
【００３８】
特に、紙おむつ１００において、縦エンボス凹部３は、吸収体３０におけるバックシート２０側に形成されているので、人体と直接接触し、排泄された体液を受け入れるトップシート１０及びセカンドシート４０と、吸収体３０との間には空間や隙間はなく、トップシート１０及びセカンドシート４０と吸収体３０とは密着している。そのため、トップシート１０が受け入れた体液は、毛細管現象などにより、速やかにセカンドシート４０を介して吸収体３０に移行する。つまり、体液は、トップシート１０とセカンドシート４０と吸収体３０との広範な接触面を介して、トップシート１０側から吸収体３０へ移行し吸収される。
よって、吸収体３０に、体液の拡散性を向上させる縦エンボス凹部３を形成しても、体液をトップシート１０から吸収体３０に移行させて吸収させる吸収特性に影響はなく、好適な吸収特性を維持することができる。
従って、紙おむつ１００は、体液の吸収特性を有しつつ、体液の拡散特性を有するので、好適に体液を吸収することができ、体液の漏れを低減することができる。
【００３９】
（変形例１）
次に、図５を参照して、実施形態１における変形例１について説明する。なお、実施形態１と同一部分には同一符号を付し、異なる部分について説明する。
【００４０】
複数の縦エンボス凹部３は、前述の実施形態１のように全て同じ形状に形成されることに限らない。
例えば、図５に示されるように、それぞれ縦エンボス凹部の溝の幅が異なる縦エンボス凹部３ａ、３ｂ、３ｃを形成する際に、吸収体３０の幅方向の端部側のものほど、その縦エンボス凹部３の溝の幅を広く形成するようにしてもよい。
このように、吸収体３０の幅方向の端部側のものほど、その幅を広く形成した縦エンボス凹部（３ａ、３ｂ、３ｃ）を有する吸収体３０は、より体液を縦エンボス凹部の方向性に従って、吸収体３０の長手方向側に拡散させることができるとともに、吸収体３０の幅方向への拡散を低減することができる。
従って、そのような吸収体３０を備える紙おむつ２００は、好適に体液を吸収することができ、体液の漏れを低減することができる。
【００４１】
（変形例２）
次に、図６を参照して、実施形態１における変形例２について説明する。なお、実施形態１と同一部分には同一符号を付し、異なる部分について説明する。
【００４２】
複数の縦エンボス凹部３は、前述の実施形態１のように全て同じ形状に形成されることに限らない。
例えば、図６に示されるように、それぞれ縦エンボス凹部の溝の深さが異なる縦エンボス凹部３ｄ、３ｅ、３ｆを形成する際に、吸収体３０の幅方向の端部側のものほど、その縦エンボス凹部３の溝の幅を深く形成するようにしてもよい。
このように、吸収体３０の幅方向の端部側のものほど、その深さを深く形成した縦エンボス凹部（３ｄ、３ｅ、３ｆ）を有する吸収体３０は、より体液を縦エンボス凹部の方向性に従って、吸収体３０の長手方向側に拡散させることができるとともに、吸収体３０の幅方向への拡散を低減することができる。
従って、そのような吸収体３０を備える紙おむつ３００は、好適に体液を吸収することができ、体液の漏れを低減することができる。
【００４３】
（変形例３）
次に、図７を参照して、実施形態１における変形例３について説明する。なお、実施形態１と同一部分には同一符号を付し、異なる部分について説明する。
【００４４】
縦エンボス凹部３は、前述の実施形態１のように吸収体３０におけるバックシート２０側に形成されることに限らない。
例えば、図７に示されるように、縦エンボス凹部３を吸収体３０におけるセカンドシート４０との接触面側に形成するようにしてもよい。このように縦エンボス凹部３が形成された吸収体３０を備える紙おむつ４００も、紙おむつ１００と同様に、体液の吸収特性を有しつつ、体液の拡散特性を有するので、好適に体液を吸収することができ、体液の漏れを低減することができる。
【００４５】
（実施形態２）
次に、図８を参照して、本発明を紙おむつに適用した実施形態２について説明する。なお、実施形態１と同一部分には同一符号を付し、異なる部分について説明する。
【００４６】
図８に示されるように、紙おむつの吸収体３０において、吸収体３０のバックシート２０側に、股間部３０ｃから腹側部３０ａと背側部３０ｂに向かって延在する複数の縦エンボス凹部４（本実施の形態においては５本）を形成し、縦エンボス凹部４の両端部側である腹側部３０ａと背側部３０ｂに、それぞれ拡散エンボス凹部７を形成するようにしてもよい。
【００４７】
拡散エンボス凹部７は、図８、図９（ａ）に示されるように、吸収体３０の長手方向に対して傾斜した斜め格子状のエンボス凹部が形成されるエンボスパターンを有する。
拡散エンボス凹部７は、縦エンボス凹部４により、腹側部３０ａと背側部３０ｂに拡散された体液を、それぞれ腹側部３０ａと背側部３０ｂの広範囲に拡散させるようになっている。
【００４８】
このような縦エンボス凹部４と拡散エンボス凹部７を形成した吸収体３０によれば、紙おむつ内に排泄された尿などの体液は、吸収体３０の股間部３０ｃから縦エンボス凹部４の方向性に従って、吸収体３０の長手方向側の腹側部３０ａや背側部３０ｂに拡散される。また、体液は、腹側部３０ａや背側部３０ｂにおいて、さらに、拡散エンボス凹部７により広範囲に拡散される。そして、体液は、吸収体３０の股間部３０ｃから腹側部３０ａや背側部３０ｂにわたる広範囲において吸収されるようになる。つまり、体液は吸収体３０の広範囲に拡散されて吸収されることによって、吸収体３０に吸収されやすくなり、吸収体３０における体液の吸収性を向上させることができる。
従って、そのような吸収体３０を備える紙おむつは、好適に体液を吸収することができ、体液の漏れを低減することができる。
【００４９】
なお、縦エンボス凹部４と拡散エンボス凹部７は、吸収体３０の縁部から１５ｍｍ以内、さらに好ましくは３０ｍｍ以内の内側に形成されることが、体液の吸収の向上や体液の漏れを低減するうえで望ましい。
【００５０】
また、腹側部３０ａや背側部３０ｂに形成される拡散エンボス凹部は、前述の斜め格子状のエンボス凹部のエンボスパターンを有する拡散エンボス凹部７であることに限らない。
例えば、図９（ｂ）に示されるような、吸収体３０の長手方向及び幅方向に対して溝部が延在する格子状のエンボス凹部が形成されるエンボスパターンを有する拡散エンボス凹部７ａであってもよい。
また、図９（ｃ）に示されるような、吸収体３０に複数の六角形状のエンボス凸部７１が形成され、ハニカム状のエンボス凹部が形成されるエンボスパターンを有する拡散エンボス凹部７ｂであってもよい。
また、図９（ｄ）に示されるような、吸収体３０に複数の円形状のエンボス凸部７２が形成され、それらエンボス凸部７２の隙間に網目状のエンボス凹部が形成されるエンボスパターンを有する拡散エンボス凹部７ｃであってもよい。
このような拡散エンボス凹部７ａ、７ｂ、７ｃであっても、拡散エンボス凹部７と同様に、体液を腹側部３０ａや背側部３０ｂの広範囲に拡散させることができる。
【００５１】
また、腹側部３０ａや背側部３０ｂに形成される拡散エンボス凹部は、前述の拡散エンボス凹部７、７ａ、７ｂ、７ｃの凹凸を反対にした、図１０（ａ）、（ｂ）、（ｃ）、（ｄ）に示されるような拡散エンボス凹部８、８ａ、８ｂ、８ｃであってもよい。このような拡散エンボス凹部８、８ａ、８ｂ、８ｃであっても、拡散エンボス凹部７と同様に、体液を腹側部３０ａや背側部３０ｂの広範囲に拡散させることができる。
【００５２】
（変形例１）
次に、図１１を参照して、実施形態２における変形例１について説明する。なお、実施形態１、実施形態２と同一部分には同一符号を付し、異なる部分について説明する。
【００５３】
図１１に示されるように、紙おむつの吸収体３０において、吸収体３０のバックシート２０側に、股間部３０ｃから腹側部３０ａと背側部３０ｂに向かって延在する複数の縦エンボス凹部４ａ（本実施の形態においては５本）を形成し、縦エンボス凹部４ａの両端部側である腹側部３０ａと背側部３０ｂに、それぞれ拡散エンボス凹部７、拡散エンボス凹部７ａを形成するようにしてもよい。この吸収体３０の腹側部３０ａと背側部３０ｂにおいて、縦エンボス凹部４ａと拡散エンボス凹部７と拡散エンボス凹部７ａは、それぞれ離間するように形成されている。
このように、各エンボス凹部が離間されることにより、一方のエンボス凹部（例えば、縦エンボス凹部４ａ）により誘導された体液が、他方のエンボス凹部（例えば、拡散エンボス凹部７、拡散エンボス凹部７ａ）に伝わる際に、そのエンボス凹部の間の部分の吸収体にその体液が吸収されることとなって、体液の拡散性を向上させることができる。従って、このような吸収体を備える紙おむつは、体液の吸収特性を有しつつ、体液の拡散特性を有するので、好適に体液を吸収することができ、体液の漏れを低減することができる。
【００５４】
なお、以上の実施の形態においては、吸収性物品としてテープ式の紙おむつを例に説明したが、本発明はこれに限定されるものではなく、吸収性物品は図１２に示されるようなパンツ式の紙おむつ５００でもよい。また、吸収性物品は失禁パッドや、経血やおりものなどの体液を吸収するための生理用ナプキン、パンティライナー等であってもよく、本発明をこれら吸収性物品に適用してもよい。
本発明である体液の吸収性を向上させた吸収性物品を適用した紙おむつであれば、排泄される体液（尿）の量が多い大人用の紙おむつとして好適に利用することができ、また、本発明を適用した生理用ナプキンであれば、夜用若しくは長時間用のナプキンのような比較的多量の体液（経血）の吸収が予定されるナプキンに利用することができる。
【００５５】
また、紙おむつにおいて、セカンドシート４０を用い、セカンドシート４０と吸収体３０の二層を配設する構成を例に説明したが、本発明はこれに限定されるものではなく、セカンドシート４０は用いずに、吸収体３０を一層配設するようにしてもよい。
【００５６】
また、拡散エンボス凹部の形状は、前述の８パターン（拡散エンボス凹部７、７ａ、７ｂ、７ｃ、８、８ａ、８ｂ、８ｃ）に限定はされず、縦エンボス凹部４により腹側部３０ａや背側部３０ｂに拡散された体液を、さらに腹側部３０ａや背側部３０ｂにおいて拡散させることができる形状、エンボスパターンであれば、任意の形状のエンボスパターンを有するエンボス凹部であってよい。
【００５７】
また、その他、具体的な細部構造等についても適宜に変更可能であることは勿論である。
【図面の簡単な説明】
【００５８】
【図１】本発明を適用した紙おむつを示す斜視図である。
【図２】本発明を適用した紙おむつを展開した状態を示す平面図である。
【図３】図２のIII−III線における断面を模式的に示す説明図である。
【図４】本発明を適用した紙おむつの吸収体の裏面（人体との接触面と反対面）側の平面図である。
【図５】本発明を適用した紙おむつの変形例を示す断面図（模式図）である。
【図６】本発明を適用した紙おむつの変形例を示す断面図（模式図）である。
【図７】本発明を適用した紙おむつの変形例を示す断面図（模式図）である。
【図８】実施形態２における紙おむつの吸収体の裏面（人体との接触面と反対面）側の平面図である。
【図９】拡散エンボス凹部のエンボスパターンを示す説明図である。
【図１０】拡散エンボス凹部のエンボスパターンを示す説明図である。
【図１１】実施形態２における紙おむつの吸収体の変形例を示す平面図である。
【図１２】本発明を適用したパンツ式紙おむつを示す斜視図である。
【符号の説明】
【００５９】
１０  トップシート
２０  バックシート
３０  吸収体
３０ａ  腹側部
３０ｂ  背側部
３０ｃ  股間部（略中央部）
３（３ａ、３ｂ、３ｃ、３ｄ、３ｅ、３ｆ）  縦エンボス凹部
４、４ａ    縦エンボス凹部
４０  セカンドシート
５０  外装不織布
６０  サイド不織布
６    ギャザー部
７、７ａ、７ｂ、７ｃ  拡散エンボス凹部
８、８ａ、８ｂ、８ｃ  拡散エンボス凹部
１００、２００、３００、４００、５００  紙おむつ（吸収性物品）
【図１】
2005073921.tif 000003
【図２】
2005073921.tif 000004
【図３】
2005073921.tif 000005
【図４】
2005073921.tif 000006
【図５】
2005073921.tif 000007
【図６】
2005073921.tif 000008
【図７】
2005073921.tif 000009
【図８】
2005073921.tif 000010
【図９】
2005073921.tif 000011
【図１０】
2005073921.tif 000012
【図１１】
2005073921.tif 000013
【図１２】
2005073921.tif 000014